(57)【要約】  【課題】ハウリングを防止しつつ同時話者数を増大することのできる会議マイクロフォン装置を提供する。  【解決手段】ハウリングパターン記憶部３５は、ハウリング発生が検出されたときにＯＮ状態にあるマイクユニット１２を表すハウリング発生マイクＯＮパターンを記憶する。マイク出力要求データ取得部３６は、マイクユニット１２からマイク出力要求データを取得する。パターン比較部３８は、マイク出力要求データが取得されたときにＯＮ状態にあるマイクユニット１２とマイク出力要求データを送ってきたマイクユニット１２とを表す要求応答マイクＯＮパターンを、ハウリング発生マイクＯＮパターンと比較する。マイクＯＮ制御部３９は、両パターンが一致する場合に、マイク出力要求データを送ってきたマイクユニット１２のＯＮ制御を抑制する。【選択図】  図１
2007300295.tif 000002
【特許請求の範囲】
【請求項１】
複数のマイクユニットと、
前記複数のマイクユニットの各々のＯＮ／ＯＦＦデータを取得することによって各マイクユニットのＯＮ／ＯＦＦ状態を検出するマイクＯＮデータ取得手段と、
ＯＮ状態のマイクユニットから入力される音声を加算する音声加算手段と、
前記音声加算手段の出力信号からハウリング発生を検出するハウリング検出手段と、
前記ハウリング検出手段によりハウリング発生が検出されたときにＯＮ状態にあるマイクユニットを表すハウリング発生マイクＯＮパターンを記憶するハウリングパターン記憶手段と、
前記複数のマイクユニットの各々からマイク出力要求データを取得するマイク出力要求データ取得手段と、
前記マイク出力要求データが取得されたときにＯＮ状態にあるマイクユニットと前記マイク出力要求データを送ってきたマイクユニットとを表す要求応答マイクＯＮパターンを、前記ハウリング発生マイクＯＮパターンと比較するパターン比較手段と、
前記要求応答マイクＯＮパターンが前記ハウリング発生マイクＯＮパターンと一致する場合に、前記マイク出力要求データを送ってきた前記マイクユニットのＯＮ制御を抑制するマイクＯＮ制御手段と、
を備えたことを特徴とする会議マイクロフォン装置。
【請求項２】
複数のマイクユニットのＯＮ／ＯＦＦを制御するマイクロフォン制御方法であって、
前記複数のマイクユニットの各々のＯＮ／ＯＦＦデータを取得することによって各マイクユニットのＯＮ／ＯＦＦ状態を検出し、
ＯＮ状態のマイクユニットから入力される音声を加算し、
加算後の音声信号からハウリング発生を検出し、
ハウリング発生が検出されたときにＯＮ状態にあるマイクユニットを表すハウリング発生マイクＯＮパターンを記憶し、
前記複数のマイクユニットの各々からマイク出力要求データを取得し、
前記マイク出力要求データが取得されたときにＯＮ状態にあるマイクユニットと前記マイク出力要求データを送ってきたマイクユニットとの両方を表す要求応答マイクＯＮパターンを、前記ハウリング発生マイクＯＮパターンと比較し、
前記要求応答マイクＯＮパターンが前記ハウリング発生マイクＯＮパターンと一致する場合に、前記マイク出力要求データを送ってきた前記マイクユニットのＯＮ制御を抑制することを特徴とする会議マイクロフォン制御方法。
【発明の詳細な説明】
【技術分野】
【０００１】
本発明は、複数のマイクユニットを備えた会議マイクロフォン装置に関し、特に、ハウリングを防止する技術に関する。
【背景技術】
【０００２】
従来、会議マイクロフォン装置は、複数の発言者のために複数のマイクユニットを備えており、各発言者の音声は近傍のマイクユニットへ入力され、スピーカ等から出力される。会議マイクロフォン装置では、マイクによる音声入力とスピーカ等による音声出力の間の拡声ゲインが高い場合、ハウリングが発生してしまう。ハウリングを防ぐためには、音声出力信号の振幅や位相が制御される（例えば特許文献１参照）。
【０００３】
また、会議マイクロフォン装置では、マイク単体のゲインが高い場合の他に、複数のマイクが同時にＯＮになった場合にもハウリングが発生する。会議マイクロフォン装置では、このような同時マイクＯＮによるハウリングが最も多く発生する。
【０００４】
上記の同時マイクＯＮによるハウリングを防ぐため、従来は、同時にＯＮになるマイクの最大数を予め設定しておくのが通例であった。マイクＯＮの最大数を、最大同時話者数と呼ぶ。従来の会議マイクロフォン装置は、各マイクのＯＮ／ＯＦＦを制御するように構成されており、最大同時話者数を越えない範囲でマイクをＯＮさせる。そして、会議マイクロフォン装置は、最大同時話者数を越えてしまうマイクＯＮ要求があった場合は、マイクＯＮ要求を送ったマイクのＯＮ制御を抑制し、すなわち、該当マイクをＯＦＦのままにし、これによりハウリングを防止していた。
【特許文献１】特開平２−３０９８５６号公報
【発明の開示】
【発明が解決しようとする課題】
【０００５】
しかしながら、従来の会議マイクロフォン装置は、予め設定された最大同時話者数を越えない範囲でマイクをＯＮにするので、ハウリングが発生しないマイクＯＮの組合せであってもマイクをＯＮに出来ない場合があり、不必要な同時話者数制限が加えられるという問題があった。
【０００６】
より詳細に説明すると、従来、最大同時話者数は、ハウリングが発生し得るマイクＯＮの最小数未満に設定される。しかし、同時ＯＮのマイク数が同じであっても、マイクＯＮの組合せによって、ハウリングが発生する場合と、ハウリングが発生しない場合がある。したがって、マイクＯＮの数が最大同時話者数を超えたとしても、ハウリングが発生しないようなマイクＯＮの組合せが存在する。しかし、このような組合せも従来は許容されず、不必要に同時話者数が制限されていた。
【０００７】
本発明は、従来の問題を解決するためになされたもので、その目的は、ハウリングを防止しつつ同時話者数を増大できる会議マイクロフォン装置を提供することにある。
【課題を解決するための手段】
【０００８】
本発明の会議マイクロフォン装置は、複数のマイクユニットと、前記複数のマイクユニットの各々のＯＮ／ＯＦＦデータを取得することによって各マイクユニットのＯＮ／ＯＦＦ状態を検出するマイクＯＮデータ取得手段と、ＯＮ状態のマイクユニットから入力される音声を加算する音声加算手段と、前記音声加算手段の出力信号からハウリング発生を検出するハウリング検出手段と、前記ハウリング検出手段によりハウリング発生が検出されたときにＯＮ状態にあるマイクユニットを表すハウリング発生マイクＯＮパターンを記憶するハウリングパターン記憶手段と、前記複数のマイクユニットの各々からマイク出力要求データを取得するマイク出力要求データ取得手段と、前記マイク出力要求データが取得されたときにＯＮ状態にあるマイクユニットと前記マイク出力要求データを送ってきたマイクユニットとの両方を表す要求応答マイクＯＮパターンを、前記ハウリング発生マイクＯＮパターンと比較するパターン比較手段と、前記要求応答マイクＯＮパターンが前記ハウリング発生マイクＯＮパターンと一致する場合に、前記マイク出力要求データを送ってきた前記マイクユニットのＯＮ制御を抑制するマイクＯＮ制御手段とを備えている。
【０００９】
この構成により、ハウリングが検出されたときにＯＮ状態にあるマイクユニットを表すハウリング発生マイクＯＮパターンを記憶しておき、マイク出力要求に応えた場合の要求応答マイクＯＮパターンをハウリング発生マイクＯＮパターンと比較し、比較結果に基づいてマイクＯＮ制御を行う。両パターンが一致すればマイクＯＮ制御を抑制し、一致しなければマイクＯＮ制御を実行する。これにより、ハウリング発生マイクＯＮパターンに一致しない範囲で、マイクＯＮの数を増大できる。したがって、ハウリングを防止しつつ同時話者数を増大することができる。
【００１０】
また、本発明の別の態様は、複数のマイクユニットのＯＮ／ＯＦＦを制御するマイクロフォン制御方法であって、前記複数のマイクユニットの各々のＯＮ／ＯＦＦデータを取得することによって各マイクユニットのＯＮ／ＯＦＦ状態を検出し、ＯＮ状態のマイクユニットから入力される音声を加算し、加算後の音声信号からハウリング発生を検出し、ハウリング発生が検出されたときにＯＮ状態にあるマイクユニットを表すハウリング発生マイクＯＮパターンを記憶し、前記複数のマイクユニットの各々からマイク出力要求データを取得し、前記マイク出力要求データが取得されたときにＯＮ状態にあるマイクユニットと前記マイク出力要求データを送ってきたマイクユニットとの両方を表す要求応答マイクＯＮパターンを、前記ハウリング発生マイクＯＮパターンと比較し、前記要求応答マイクＯＮパターンが前記ハウリング発生マイクＯＮパターンと一致する場合に、前記マイク出力要求データを送ってきた前記マイクユニットのＯＮ制御を抑制する。この態様によっても上述の本発明の利点が得られる。
【発明の効果】
【００１１】
本発明は、上記のようにハウリング発生マイクＯＮパターンと要求応答マイクＯＮパターンを比較してマイクＯＮ制御を行う構成を設けたことにより、ハウリングを防止しつつ同時話者数を増大することができるという効果を有する会議マイクロフォン装置を提供することができる。
【発明を実施するための最良の形態】
【００１２】
以下、本発明の実施の形態に係る会議マイクロフォン装置について、図面を用いて説明する。
【００１３】
本発明の実施の形態に係る会議マイクロフォン装置を図１に示す。図１において、会議マイクロフォン装置１１は、複数のマイクユニット１２と、拡声部１３と、各マイクユニット１２および拡声部１３と接続された制御部１４とを備えている。
【００１４】
各マイクユニット１２は、音声を入力するマイクロフォン２１と、マイクロフォン２１から入力される音声をＯＮ／ＯＦＦするマイクスイッチ２２と、マイクスイッチ２２のＯＮ／ＯＦＦ制御を要求するマイク出力要求部２３とを備えている。
【００１５】
マイクスイッチ２２のＯＮ／ＯＦＦは制御部１４によって制御される。マイクスイッチ２２は、制御部１４からの制御信号に従って切替動作を行う。音声信号は、マイクスイッチ２２がＯＮのときにマイクユニット１２から制御部１４へ送られる。マイクスイッチ２２がＯＮの状態を、ＯＮ状態と呼ぶ。
【００１６】
マイク出力要求部２３はマイク出力要求データを制御部１４に送る。マイク出力要求データは、マイクユニット１２をＯＮ状態にすることを要求するデータである。マイク出力要求部２３は、マイクロフォン２１への音声入力を基に、話者の発声開始を検出する。そして、マイク出力要求部２３は、発声開始を検出するとマイク出力要求データを制御部１４に送る。
【００１７】
マイク出力要求部２３は、出力ＯＦＦ要求データも制御部１４に送る。マイク出力要求部２３は、マイクロフォン２１への音声入力を基に発生終了を検出し、発生終了が検出されたときに出力ＯＦＦ要求データを制御部１４に送る。
【００１８】
上記の例では、マイク出力要求部２３は、自動的にマイク出力要求データを生成した。別の例では、マイク出力要求データは、手動操作に応じて生成される。この場合、ボタン等の手動操作部材が設けられる。手動操作部材を操作すると、この操作がマイク出力要求部２３に受け付けられて、マイク出力要求部２３がマイク出力要求データを生成する。出力ＯＦＦ要求データも手動操作に応じて生成されてよい。
【００１９】
また、マイク出力要求部２３は、上記の自動的な要求動作と、手動操作に応じた要求動作の両方を行うように構成されてもよい。
【００２０】
拡声部１３は、１または複数のスピーカで構成されており、制御部１４から供給される音声信号を出力する。
【００２１】
次に、制御部１４の構成について説明する。制御部１４は、以下に説明する各種構成の機能を実現するコンピュータで構成されている。制御部１４は、会議マイクロフォン装置１１の全体を制御する装置であり、複数のマイクユニット１２から入力された音声信号を加算して、拡声部１３に出力する。また、制御部１４は、各マイクユニット１２からのマイク出力要求データに応じて、各マイクユニット１２のＯＮ／ＯＦＦを個別に制御する。
【００２２】
制御部１４において、音声加算部３１は、ＯＮ状態にある１以上のマイクユニット１２から入力された音声信号を加算（ミキシング）する。加算後の音声信号は、制御部１４から拡声部１３に供給されると共に、制御部１４内のハウリング検出部３２に入力される。ハウリング検出部３２は、加算後の音声信号におけるハウリング発生を検出する。ハウリング検出部３２は、ＦＦＴなどで構成され、単一周波数のピーク値がある閾レベルに達した場合にハウリング発生と見なす処理を行う。ハウリング検出部３２は、ハウリングが発生した場合は、ハウリング検出信号を出力する。
【００２３】
マイクＯＮデータ取得部３３は、各マイクユニット１２のＯＮ／ＯＦＦデータを取得することにより、各マイクユニット１２のＯＮ／ＯＦＦ状態を検出する。ＯＮ／ＯＦＦデータは、マイクスイッチ２２により出力されて、制御部１４のマイクＯＮデータ取得部３３に入力される。マイクＯＮデータ取得部３３は、リアルタイムで複数のマイクユニット１２の各々におけるＯＮ／ＯＦＦ状態を認識することができる。
【００２４】
ハウリングパターン検出部３４は、ハウリング発生マイクＯＮパターンを検出して、ハウリングパターン記憶部３５に格納する。ハウリング発生マイクＯＮパターンは、ハウリング検出部３２によりハウリング発生が検出されたときにＯＮ状態にあるマイクユニット１２を表すデータである。ハウリングパターン検出部３４は、複数のハウリング発生マイクＯＮパターンを記憶してよい。
【００２５】
ハウリング発生マイクＯＮパターンの生成処理は下記の通りである。ハウリングパターン検出部３４には、ハウリング検出部３２からハウリング検出信号が入力される。ハウリングパターン検出部３４は、ハウリング検出信号が入力されたときに、各マイクユニット１２のＯＮ／ＯＦＦ状態のデータをマイクＯＮデータ取得部３３から取得する。そして、ハウリングパターン検出部３４は、ハウリング発生時にどのマイクユニット１２がＯＮ状態であったかを特定するデータを生成する。このデータが、ハウリング発生マイクＯＮパターンとして、ハウリングパターン記憶部３５に格納される。
【００２６】
マイク出力要求データ取得部３６は、各マイクユニット１２のマイク出力要求部２３から、マイク出力要求データおよび出力ＯＦＦ要求データを取得する。前述したように、マイク出力要求データは、発生開始時にマイク出力要求部２３から制御部１４に入力される。また、出力ＯＦＦ要求データは、発生終了時にマイク出力要求部２３から制御部１４に入力される。マイク出力要求データ取得部３６は、マイク出力要求データを要求応答パターン生成部３７に供給し、出力ＯＦＦ要求データをマイクＯＮ制御部３９に供給する。
【００２７】
要求応答パターン生成部３７は、要求応答マイクＯＮパターンを生成する。要求応答マイクＯＮパターンは、マイク出力要求データが取得されたときにＯＮ状態にあるマイクユニット１２と、マイク出力要求データを送ってきたマイクユニット１２との両方を表すデータである。要するに、要求応答マイクＯＮパターンは、マイク出力要求データに従って該当マイクをＯＮにしたと仮定した場合のＯＮ状態のマイクのパターンである。
【００２８】
要求応答マイクＯＮパターンの生成処理は以下の通りである。要求応答パターン生成部３７は、マイク出力要求データ取得部３６からマイク出力要求データを取得すると、マイクＯＮデータ取得部３３から現在のマイクＯＮデータを受け取る。現在のマイクＯＮデータは、マイク出力要求データが入力された時点で既にＯＮ状態にあるマイクユニット１２のデータである。要求応答パターン生成部３７は、現在のマイクＯＮデータに、マイク出力要求データを送ってきたマイクユニット１２を加える。追加後のデータは、マイク出力要求に応答した場合にＯＮ状態になるマイクユニット１２の組合せのデータである。このデータが、要求応答マイクＯＮパターンとして生成される。
【００２９】
パターン比較部３８は、上述のようにして要求応答パターン生成部３７により生成された要求応答マイクＯＮパターンを、ハウリングパターン記憶部３５に記憶されたハウリング発生マイクＯＮパターンと比較する。マイクＯＮデータ取得部３３には、複数のハウリング発生マイクＯＮパターンが記憶されている。パターン比較部３８は、各々のハウリング発生マイクＯＮパターンを、要求応答マイクＯＮパターンと比較して、パターンが一致するか否かを判定する。
【００３０】
マイクＯＮ制御部３９は、各マイクユニット１２にＯＮ／ＯＦＦの制御信号を送って、各マイクユニット１２のＯＮ／ＯＦＦを個別に制御する。より詳細には、マイクＯＮ制御部３９は、各１２のマイクスイッチ２２を制御する構成であり、制御信号はマイクスイッチ２２に送られる。
【００３１】
マイクＯＮ制御部３９は、パターン比較部３８の比較結果に応じて、マイク出力要求データを送ってきたマイクユニット１２のＯＮ制御を行う。パターン比較部３８の比較の結果、要求応答マイクＯＮパターンがハウリング発生マイクＯＮパターンと一致する場合、マイクＯＮ制御部３９は、マイク出力要求データを送ってきたマイクユニット１２のＯＮ制御を抑制する。すなわち、マイクＯＮ制御部３９は、該当マイクユニット１２をＯＦＦ状態に維持する。このような制御により、ハウリングが発生するようなマイクＯＮの組合せを回避でき、ハウリング発生を防ぐことが出来る。
【００３２】
一方、パターン比較部３８の比較の結果、要求応答マイクＯＮパターンと一致するハウリング発生マイクＯＮパターンが存在しない場合、マイクＯＮ制御部３９は、マイク出力要求データを送ってきたマイクユニット１２をＯＮにする。このような制御により、ハウリングが発生しない範囲で、より多くのマイクユニット１２をＯＮにすることができ、同時話者数を多くすることができる。
【００３３】
その他、マイクＯＮ制御部３９は、マイク出力要求データ取得部３６から出力ＯＦＦ要求データを取得すると、該当マイクユニット１２をＯＦＦにする制御を行うように構成されている。
【００３４】
以上に会議マイクロフォン装置１１の各部の構成および機能について説明した。次に、会議マイクロフォン装置１１の動作について、具体例を用いて説明する。
【００３５】
ここでは、まず、ハウリング発生マイクＯＮパターンを生成および記憶する動作について説明する。ＯＮ状態のマイクユニット１２から音声が制御部１４に入力されると、複数のマイクユニット１２の音声信号が音声加算部３１で加算される。音声加算部３１の出力信号は、拡声部１３に供給されると共に、ハウリング検出部３２に入力される。ハウリング検出部３２はハウリングを検出すると、ハウリング検出信号をハウリングパターン検出部３４に出力する。
【００３６】
ハウリングパターン検出部３４は、ハウリング検出信号が入力されると、各マイクユニット１２のＯＮ／ＯＦＦ状態のデータをマイクＯＮデータ取得部３３から取得する。各マイクユニット１２のＯＮ／ＯＦＦデータは、マイクユニット１２のマイクスイッチ２２から制御部１４に送られ、マイクＯＮデータ取得部３３に入力される。ハウリングパターン検出部３４は、取得した情報を基に、ハウリング発生マイクＯＮパターンを生成する。
【００３７】
図２は、ハウリング発生マイクＯＮパターンの例である。図２では、ハウリング発生マイクＯＮパターンには、符合４１が付されている。この例では、マイクユニット１２の数が４個である。そして、マイク１、２、４が同時にＯＮであり、マイク３がＯＦＦのときに、ハウリングが発生している。この場合、ハウリング発生マイクＯＮパターン４１は、（マイク１、マイク２、マイク３、マイク４）＝（ＯＮ，ＯＮ，ＯＦＦ，ＯＮ）である。このように、ハウリング発生マイクＯＮパターン４１は、ハウリング発生時にどのマイクユニット１２がＯＮ状態であったかを特定するデータである。ハウリング発生マイクＯＮパターン４１はハウリングパターン記憶部３５に格納される。
【００３８】
ハウリングパターン検出部３４は、ハウリング発生が検出されるたびに、ハウリング発生マイクＯＮパターン４１を生成して、ハウリングパターン記憶部３５に格納する。したがって、ハウリングパターン記憶部３５は、複数のハウリング発生マイクＯＮパターン４１を記憶する。
【００３９】
ハウリング発生マイクＯＮパターン４１は、会議マイクロフォン装置１１を会議に使用する前に、会議現場での事前調整作業中に生成されてよい。この場合、各種の組合せのマイクユニット１２が試される。各組合せのマイクユニット１２から音声が入力される。ある組合せでハウリングが発生すれば、その組合せに対応するハウリング発生マイクＯＮパターンが生成され、格納される。別の組合せでハウリングが発生しなければ、その組合せに対応するハウリング発生マイクＯＮパターンは生成されない。
【００４０】
本発明の範囲内で、ハウリング発生マイクＯＮパターンは、事前調整作業で生成されなくてもよい。ハウリング発生マイクＯＮパターンは、会議中にもハウリングが発生した時点で生成されてもよい。
【００４１】
この点に関し、例えば、事前調整作業を行ったにも拘わらず、会議使用中にハウリングが発生することがある。この場合も、ハウリング発生マイクＯＮパターンが生成されて、格納されてよい。
【００４２】
以上に、ハウリング発生マイクＯＮパターンを生成および記憶する動作について説明した。次に、ハウリング発生マイクＯＮパターンを利用してハウリングを防止する動作について説明する。
【００４３】
ここでは、図３の具体例を用いて、ハウリング防止動作を説明する。図２の例と同様に、図３の例でも、マイクユニット１２の数は４である。
【００４４】
会議マイクロフォン装置１１の運用が開始された後に、一つのマイクユニット１２から制御部１４にマイク出力要求データ４２が送られると、マイク出力要求データ４２はマイク出力要求データ取得部３６に入力されて、要求応答パターン生成部３７に供給される。図３の例では、図２と同様に各マイクのＯＮ／ＯＦＦパターンの形式で、マイク出力要求データ４２が示されている。マイク２からマイク出力要求データ４２が取得されているので、マイク出力要求データ４２は、（マイク１、マイク２、マイク３、マイク４）＝（ＯＦＦ，ＯＮ，ＯＦＦ，ＯＦＦ）である。
【００４５】
要求応答パターン生成部３７は、マイク出力要求データ４２を受け取ると、マイクＯＮデータ取得部３３から現在のマイクＯＮデータ４３を受け取る。現在のマイクＯＮデータ４３は、マイク出力要求データ４２が入力された時点でＯＮ状態にあるマイクユニット１２を表すデータである。図３の例では、マイクＯＮデータ４３も、各マイクのＯＮ／ＯＦＦのパターンで表されている。マイク１、４がＯＮであり、マイク２、３がＯＦＦであるので、マイクＯＮデータ４３は、（マイク１、マイク２、マイク３、マイク４）＝（ＯＮ，ＯＦＦ，ＯＦＦ，ＯＮ）である。
【００４６】
要求応答パターン生成部３７は、マイク出力要求データ４２と現在のマイクＯＮデータ４３とに基づき、要求応答マイクＯＮパターン４４を生成する。ここでは、両データが加算され、その結果、要求応答マイクＯＮパターン４４は、（マイク１、マイク２、マイク３、マイク４）＝（ＯＮ、ＯＮ、ＯＦＦ，ＯＮ）となる。要求応答マイクＯＮパターン４４は、既にＯＮ状態のマイク１、４に加えて、出力要求を送ってきたマイク２をＯＮにしたパターンになっており、したがって、出力要求に応答したと仮定した場合のＯＮ状態のマイクのパターンになっている。
【００４７】
要求応答マイクＯＮパターン４４が生成されると、パターン比較部３８が、要求応答マイクＯＮパターン４４を、ハウリングパターン記憶部３５に記憶されたハウリング発生マイクＯＮパターン４１と比較して、パターンが一致するか否かを判定する。
【００４８】
図３の例では、両パターンが一致する。この場合、仮にマイク出力要求データに応えてマイク２をＯＮにすると、ハウリング発生が予測される。そこで、ハウリングを発生させないため、マイクＯＮ制御部３９は、マイク出力要求データを送ってきたマイク２のＯＮ制御を抑制する。マイク２はＯＦＦのままに維持される。このようにして、ハウリングを発生させないようにマイクの同時最大話者数を制御することができる。
【００４９】
図３の例と異なり、要求応答マイクＯＮパターン４４がハウリング発生マイクＯＮパターン４１と一致しなかったとする。この場合は、マイクＯＮ制御部３９は、マイク出力要求データに従ってマイクユニット１２をＯＮにする。このとき、該当するマイク番号のマイクスイッチ２２へ、スイッチＯＮの制御信号が送られる。このようにして、ハウリング発生マイクＯＮパターン４１に基づく判定処理を行うので、ハウリングが発生しない範囲で、同時にマイクをＯＮに出来るマイク数を最大にすることが可能となる。
【００５０】
なお、図３の例では、１つのハウリング発生マイクＯＮパターン４１が示されている。しかし、前述したように、複数のハウリング発生マイクＯＮパターン４１が処理されてよい。パターン比較部３８は、各々のハウリング発生マイクＯＮパターン４１を要求応答マイクＯＮパターン４４と比較し、パターン一致の判定を行う。一つのハウリング発生マイクＯＮパターン４１が一致すれば、マイクユニット１２のＯＮ制御が抑制される。
【００５１】
また、上記の例では、マイク出力要求データ取得部３６は、一つのマイクユニット１２からマイク出力要求データを取得した。しかし、マイク出力要求データ取得部３６は、複数のマイクユニット１２からマイク出力要求データを取得してもよい。
【００５２】
また、上記の例では、パターン比較部３８の比較処理は、マイク出力要求データ取得部３６による取得データに変化があった場合にわれている。しかし、一定時間間隔で、比較処理とマイクＯＮ制御が行われてもよい。
【００５３】
また、本実施の形態は、一度発生したハウリングを検出して、その後のハウリング発生を防止する技術である。そのため、一度は、ハウリングを発生させる必要がある。この点については、前述したように、現場での事前調整時にハウリング発生マイクＯＮパターンを生成して格納することが好適であり、これにより、実運用中のハウリング発生を回避できる。
【００５４】
以上に本発明の実施の形態に係る会議マイクロフォン装置１１について説明した。本実施の形態によれば、会議マイクロフォン装置１１は、ハウリングが検出されたときにＯＮ状態にあるマイクユニットを表すハウリング発生マイクＯＮパターン４１を記憶しておき、マイク出力要求に応えた場合の要求応答マイクＯＮパターン４４をハウリング発生マイクＯＮパターン４１と比較し、比較結果に基づいてマイクＯＮ制御を行う。会議マイクロフォン装置１１は、両パターンが一致すればマイクＯＮ制御を抑制し、両パターンが異なればマイクＯＮ制御を行う。これにより、ハウリング発生マイクＯＮパターンに一致しない範囲で、マイクＯＮの数を増大できる。したがって、ハウリングを防止しつつ同時話者数を増大することができる。
【００５５】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５６】
以上のように、本発明にかかる会議マイクロフォン装置は、ハウリングを防止しつつ同時話者数を増大することができるという効果を有し、会議用のマイクロフォン装置等として有用である。
【図面の簡単な説明】
【００５７】
【図１】本発明の実施の形態における会議マイクロフォン装置のブロック図
【図２】ハウリング発生マイクＯＮパターンを示す図
【図３】ハウリング発生マイクＯＮパターンを使ったハウリング防止処理を示す図
【符号の説明】
【００５８】
１１  会議マイクロフォン装置
１２  マイクユニット
１３  拡声部
１４  制御部
２１  マイクロフォン
２２  マイクスイッチ
２３  マイク出力要求部
３１  音声加算部
３２  ハウリング検出部
３３  マイクＯＮデータ取得部
３４  ハウリングパターン検出部
３５  ハウリングパターン記憶部
３６  マイク出力要求データ取得部
３７  要求応答パターン生成部
３８  パターン比較部
３９  マイクＯＮ制御部
４１  ハウリング発生マイクＯＮパターン
４２  マイク出力要求データ
４３  マイクＯＮデータ
４４  要求応答マイクＯＮパターン
【図１】
2007300295.tif 000003
【図２】
2007300295.tif 000004
【図３】
2007300295.tif 000005